(57)【要約】【課題】原稿台に載置された原稿の位置を正確に判定することのできる画像読取装置を提供する。【解決手段】読取対象となる原稿Ｐを載置するための載置面１１を有する原稿台１２と、原稿台１２の載置面１１を覆う原稿カバー１３と、原稿カバー１３における原稿台１２の載置面１１との対向面１３Ａの一部に設けられる蓄光体１５と、原稿台１２の載置面１１における蓄光体１５と対向する位置にて蓄光体１５から放出される光を検出するイメージセンサー２３と、原稿カバー１３が閉じられた状態でイメージセンサー２３による光の検出値が所定の閾値以上となる領域を、原稿台１２の載置面１１のうち原稿Ｐが存在しない領域として認識して原稿Ｐの幅寸法を判定するメインコントローラー３１とを備える。【選択図】図２
2016158007.tif 000002
【特許請求の範囲】
【請求項１】
読取対象となる原稿を載置するための載置面を有する原稿台と、
前記載置面と対向する対向面と前記対向面の少なくとも一部に設けられる蓄光部とを有するとともに前記載置面を覆う原稿カバーと、
前記蓄光部から放出される光を前記載置面における前記蓄光部と対向する位置にて検出する検出部と、
前記原稿カバーが閉じられた状態で前記検出部が所定の閾値以上の強さで光を検出した領域を、前記原稿台の載置面のうち前記原稿が存在しない領域として認識して前記原稿の位置を判定する判定部と
を備える画像読取装置。
【請求項２】
前記検出部は、前記原稿台の前記載置面に載置された前記原稿に光を照射し、その反射光を検出することにより前記原稿を読み取る反射型センサーであり、前記原稿に照射する光を用いて前記蓄光部に光を蓄える
請求項１に記載の画像読取装置。
【請求項３】
前記検出部を前記原稿台の前記載置面に沿う方向に移動させる駆動部と、
前記検出部からの光の照射を制御する照射制御部と
を更に備え、
前記照射制御部は、前記検出部からの光の照射を停止させつつ前記駆動部が前記検出部を前記蓄光部に対向する位置に移動させたことを条件に、前記検出部からの光の照射を行わせる
請求項２に記載の画像読取装置。
【請求項４】
前記原稿カバーの開閉状態を検知するカバー開閉センサーを備え、
前記駆動部は、前記カバー開閉センサーにより前記原稿カバーの半開状態が検知されたときに、前記検出部を前記蓄光部に対向する位置に移動させる
請求項３に記載の画像読取装置。
【請求項５】
前記原稿カバーの開閉状態を検知するカバー開閉センサーを備え、
前記照射制御部は、前記カバー開閉センサーにより前記原稿カバーの閉状態が検知されたときに、前記検出部からの光の照射を行わせる
請求項３又は請求項４に記載の画像読取装置。
【発明の詳細な説明】
【技術分野】
【０００１】
本発明は、原稿台に載置された原稿の読み取りを行う画像読取装置に関する。
【背景技術】
【０００２】
従来から、この種の画像読取装置として、例えば特許文献１に記載の装置が知られている。この装置では、原稿カバーが半分開いた状態にあるとき、及び、原稿カバーが完全に閉じた状態にあるときに、原稿台に設けられた反射型センサーの受光量を検出する。ここで、原稿カバーが半分開いた状態のあるときには、原稿領域外では反射型センサーからの光が反射しないため、反射型センサーの受光量が検出されない。一方、原稿カバーが完全に閉じた状態にあるときには、原稿領域外であっても原稿カバーの裏面により反射型センサーからの光が反射するため、反射型センサーの受光量が検出される。そのため、原稿カバーが半分開いた状態及び完全に閉じた状態の双方時における反射光センサーの受光量を比較することにより、原稿台に載置された原稿の位置を判定することが可能となっている。
【先行技術文献】
【特許文献】
【０００３】
【特許文献１】特開２００３−１７９７２７号公報
【発明の概要】
【発明が解決しようとする課題】
【０００４】
しかしながら、上記文献に記載の装置では、原稿の位置を判定する際、原稿カバーが半分開いた状態であっても、外乱光の入射に伴って原稿領域外において反射型センサーの受光量が検出されることもある。この場合、反射型センサーの受光量に基づく原稿の位置の判定精度を低下させてしまうことにもなりかねない。
【０００５】
本発明は、このような実情に鑑みてなされたものであり、その目的は、原稿台に載置された原稿の位置を正確に判定することのできる画像読取装置を提供することにある。
【課題を解決するための手段】
【０００６】
上記課題を解決する画像読取装置は、読取対象となる原稿を載置するための載置面を有する原稿台と、前記載置面と対向する対向面と前記対向面の少なくとも一部に設けられる蓄光部とを有するとともに前記載置面を覆う原稿カバーと、前記蓄光部から放出される光を前記載置面における前記蓄光部と対向する位置にて検出する検出部と、前記原稿カバーが閉じられた状態で前記検出部が所定の閾値以上の強さで光を検出した領域を、前記原稿台の載置面のうち前記原稿が存在しない領域として認識して前記原稿の位置を判定する判定部とを備える。
【０００７】
上記構成によれば、原稿カバーが閉じられた状態において蓄光部に蓄えられた光を用いて原稿台の載置面に載置された原稿の位置を判定している。そのため、原稿の位置を判定する際に、検出部への外乱光の入射が抑えられるため、検出部による光の検出値に基づく原稿の位置の判定を正確に行うことが可能となる。
【０００８】
上記画像読取装置において、前記検出部は、前記原稿台の前記載置面に載置された前記原稿に光を照射し、その反射光を検出することにより前記原稿を読み取る反射型センサーであり、前記原稿に照射する光を用いて前記蓄光部に光を蓄えることが好ましい。
【０００９】
上記構成によれば、検出部から照射される光を、原稿を読み取るだけでなく、蓄光部に光を蓄えることにも兼用している。そのため、部品点数の増大を抑えつつ、原稿の位置の判定に必要とされる光量を蓄光部に確実に蓄えることができる。
【００１０】
上記画像読取装置において、前記検出部を前記原稿台の前記載置面に沿う方向に移動させる駆動部と、前記検出部からの光の照射を制御する照射制御部とを更に備え、前記照射制御部は、前記検出部からの光の照射を停止させつつ前記駆動部が前記検出部を前記蓄光部に対向する位置に移動させたことを条件に、前記検出部からの光の照射を行わせることが好ましい。
【００１１】
上記構成によれば、検出部が蓄光部に対向する位置まで移動したことを条件に、蓄光部に光を蓄えるべく光の照射を開始する。そのため、蓄光部のうち原稿と対向する領域には、検出部からの光が原稿によって遮られる。すなわち、蓄光部のうち原稿と対向しない領域に検出部からの光が局所的に蓄えられる。そして、この局所的に蓄えられた光を検出部によって検出することにより、原稿台の載置面のうち原稿が存在する領域と原稿が存在しない領域とにそれぞれ対応する光の検出値の差が鮮明となる。その結果、これらの検出値に基づく原稿の位置の判定を更に正確に行うことが可能となる。
【００１２】
上記画像読取装置において、前記原稿カバーの開閉状態を検知するカバー開閉センサーを備え、前記駆動部は、前記カバー開閉センサーにより前記原稿カバーの半開状態が検知されたときに、前記検出部を前記蓄光部に対向する位置に移動させることが好ましい。
【００１３】
上記構成によれば、原稿の位置の判定に先立って原稿カバーの半開状態が検知された時点で、検出部を蓄光部に対向する位置に予め移動させる。そのため、蓄光部に蓄えられた光を用いた原稿位置の判定のスループットを向上することができる。また、検出部から照射される光を用いて蓄光部に光を蓄える構成であれば、蓄光部に対して光が速やかに蓄えられるため、上述したスループットを更に向上することができる。
【００１４】
上記画像読取装置において、前記原稿カバーの開閉状態を検知するカバー開閉センサーを備え、前記照射制御部は、前記カバー開閉センサーにより前記原稿カバーの閉状態が検知されたときに、前記検出部からの光の照射を行わせることが好ましい。
【００１５】
上記構成によれば、原稿カバーが閉状態となった後に、検出部からの光の照射が開始されるため、蓄光部のうち原稿と対向しない領域に対する局所的な蓄光が好適に行われる。そのため、この局所的に蓄えられた光を用いた原稿の位置の判定をより一層高い精度で行うことができる。
【図面の簡単な説明】
【００１６】
【図１】スキャナー装置の第１の実施の形態の斜視図。
【図２】同実施の形態のスキャナー装置の概略構成を示すブロック図。
【図３】サイズ判定テーブルに規定されるデータ内容の一例を示す模式図。
【図４】同実施の形態のスキャナー装置が実行する原稿サイズ認識処理の処理手順を示すフローチャート。
【図５】原稿カバーが半開状態にあるときのスキャナー装置の動作図。
【図６】図５に示す状態から画像読取ユニットが移動した後のスキャナー装置の動作図。
【図７】図６に示す状態から原稿カバーが閉位置に移動した後のスキャナー装置の動作図。
【図８】図７に示す状態において、原稿の幅寸法の判定に用いられるイメージセンサーの受光結果を説明するための模式図。
【図９】図７に示す状態から画像読取ユニットが移動した後のスキャナー装置の動作図。
【図１０】図９に示す状態から画像読取ユニットがスキャン動作を開始した後のスキャナー装置の動作図。
【図１１】第２の実施の形態のスキャナー装置が実行する原稿サイズ認識処理の処理手順を示すフローチャート。
【図１２】画像読取ユニットが蓄光体に光を照射しているときのスキャナー装置の動作図。
【図１３】図１２に示す状態において、画像読取ユニットから蓄光体への光の照射態様を説明するための模式図。
【図１４】図１２に示す状態において、原稿の幅寸法の判定に用いられるイメージセンサーの受光結果を説明するための模式図。
【発明を実施するための形態】
【００１７】
（第１の実施の形態）
以下、画像読取装置の一例であるスキャナー装置の第１の実施の形態の構成について図面を参照して説明する。
【００１８】
図１に示すように、本実施の形態のスキャナー装置１０は、読取対象となる原稿を載置するための載置面１１を有するフラットベッド型の原稿台１２と、原稿台１２の載置面１１を覆う原稿カバー１３とを備えている。原稿カバー１３は、原稿台１２の背面側に設けられたヒンジ１４に取り付けられている。そのため、原稿カバー１３は、原稿台１２の載置面１１に載置された原稿を押さえる「閉位置」と、原稿台１２の載置面１１に原稿をセットしたり読取後の原稿を取り除いたりする際の「開位置」との間で回動可能となっている。なお、原稿カバー１３における原稿台１２の載置面１１との対向面１３Ａの一部には、矩形板状の蓄光体１５が設けられている。蓄光体１５は、例えば蛍光材料からなり、外部から入射された光を蓄えるとともにその蓄えた光を徐々に放出する性質を有している。なお、蓄光体１５は、原稿カバー１３の対向面１３Ａにおける原稿台１２の幅方向（原稿台１２の奥行方向と直交する水平方向）の端部に位置しており、その長尺方向の長さは原稿台１２の奥行方向における載置面１１の全域に対応している。また、原稿台１２は、蓄光体１５の長尺方向（主走査方向Ｘ）と直交する副走査方向Ｙに載置面１１に沿って移動しつつ、載置面１１に載置された原稿から画像を読み取る画像読取ユニット１６を備えている。
【００１９】
具体的には、図２に示すように、画像読取ユニット１６は、駆動部の一例としての電動モーター１７の駆動軸に連結された駆動プーリー１８と、該駆動プーリー１８に対して同一の高さに設けられた従動プーリー１９とに巻き掛けられたタイミングベルト２０に連結されている。そのため、電動モーター１７が駆動されてタイミングベルト２０が正転又は逆転することに伴い、画像読取ユニット１６は副走査方向Ｙに往復移動することが可能となっている。
【００２０】
また、画像読取ユニット１６は、原稿台１２の載置面１１に載置された原稿Ｐに光を照射する白色光源２１と、原稿Ｐから反射した光を集光させる集光レンズ２２と、集光レンズ２２で集光された光を受光して画像を読み取るＣＣＤ等からなるイメージセンサー２３とを備えた反射型センサーである。白色光源２１は一対設けられ、それぞれから射出された光は原稿Ｐに対して例えば４５度の角度で入射する。また、原稿Ｐから垂直に反射された反射光の光路上にイメージセンサー２３がその受光面を反射光に対して垂直になる向きで配置されている。集光レンズ２２は、原稿Ｐから反射された光を集光し、イメージセンサー２３の受光面に結像させる機能を有する。
【００２１】
なお、図１に示すように、本実施の形態のイメージセンサー２３は、主走査方向Ｘに長く延びるラインセンサーであり、原稿台１２の載置面１１の主走査方向Ｘの全域に亘る範囲に配置されている。そして、イメージセンサー２３は、主走査方向Ｘに延びる原稿Ｐのライン状領域を読み取りつつ画像読取ユニット１６と一体となって副走査方向Ｙに移動することにより、原稿Ｐの画像全体を読み取る。
【００２２】
また、図２に示すように、スキャナー装置１０の制御ユニット３０は、装置全体の制御を司るメインコントローラー３１と、イメージセンサー２３を駆動制御するＣＣＤコントローラー３２とを備えている。また、制御ユニット３０は、イメージセンサー２３に対して画素信号の読出動作を含めた各種の動作開始タイミングを規定するパルス信号を出力するＴＧ３３（タイミングジェネレーター）と、イメージセンサー２３から出力される画素信号をデジタル信号に変換するＡＦＥ３４（アナログフロントエンド）とを備えている。また、制御ユニット３０は、ＡＦＥ３４から入力されるデジタル信号に対してホワイトバランス処理やガンマ補正など所定の処理を実行して画像ファイルを生成する画像処理部３５を備えている。
【００２３】
メインコントローラー３１は、コンピューター３６（マイクロコンピュータ）と、白色光源２１の点灯と消灯を制御する照射制御部３７とを備えている。コンピューター３６は、ＣＰＵ３８（中央処理装置）と、原稿台１２の載置面１１に載置された原稿の位置に基づく原稿のサイズ認識に用いられるサイズ判定テーブル３９や該サイズ判定テーブル３９を用いた原稿サイズの認識処理の際に実行される制御プログラム等を格納する不揮発性メモリー４０と、データや演算結果等を一時的に格納するＲＡＭ４１とを備えている。
【００２４】
なお、図３に例示するサイズ判定テーブル３９には、読取対象となる原稿の種類Ａと、該当するイメージセンサー２３の検知幅Ｂとが対応付けられている。ここで、各々の検知幅Ｂには誤差（「δ１〜δ４」）が含まれている。そのため、もし仮に原稿台１２の載置面１１に載置されている原稿Ｐの向きが若干斜めであったとしても、それら原稿の種類Ａを適正に認識することが可能である。
【００２５】
そして、図２に示すように、メインコントローラー３１には、画像処理部３５からの画像データの他にも、原稿カバー１３の開閉状態（開閉角度）の検知信号がカバー開閉センサー４２から入力される。その一方で、メインコントローラー３１からは、白色光源２１への照射信号や、電動モーター１７への駆動信号や、ＣＣＤコントローラー３２への読出指令信号などが出力される。
【００２６】
次に、本実施の形態のスキャナー装置１０の動作例として、メインコントローラー３１が原稿台１２の載置面１１に載置された原稿Ｐのサイズを認識する際に実行する処理について図４に示すフローチャートを参照しつつその具体的な処理手順を説明する。
【００２７】
まず、図５に示すように、メインコントローラー３１は、カバー開閉センサー４２から入力される検知信号に基づき、原稿カバー１３が半開状態となるまで待機する（図４のステップＳ１０）。ここで、半開状態とは、原稿カバー１３が上述した「閉位置」と「開位置」との中間に位置する状態を意味している。そして、メインコントローラー３１は、原稿カバー１３が半開状態となったとき（図４のステップＳ１０＝ＹＥＳ）には、電動モーター１７への駆動信号の出力を通じ、画像読取ユニット１６を原稿カバー１３に設けられた蓄光体１５に対向する位置まで副走査方向Ｙに移動させる（図４のステップＳ１１、図６参照）。
【００２８】
続いて、図７に示すように、メインコントローラー３１は、カバー開閉センサー４２から入力される検知信号に基づき、原稿カバー１３が「閉位置」に移動するまで待機する（図４のステップＳ１２）。そして、メインコントローラー３１は、原稿カバー１３が「閉位置」まで移動したときには（図４のステップＳ１２＝ＹＥＳ）、ＣＣＤコントローラー３２への読出指令信号の出力を通じ、イメージセンサー２３からの画素信号の取得を開始する（図４のステップＳ１３）。
【００２９】
ここで、図８に示すように、原稿カバー１３に設けられた蓄光体１５は、原稿カバー１３が「閉位置」以外の位置にあるときに外乱光等が入射することにより光を蓄えた状態にあり、その蓄えた光を徐々に放出する。ただし、原稿カバー１３に設けられた蓄光体１５から放出される光の一部は原稿台１２の載置面１１に載置された原稿Ｐによって遮られることから、イメージセンサー２３の受光面には受光されない。具体的には、イメージセンサー２３の受光面のうち、その長尺方向（主走査方向Ｘ）の両端となる面部位では、蓄光体１５から放出される光が原稿Ｐによって遮られないことから受光量Ｘ１が予め設定した閾値Ｚ以上の比較的大きな値となる。その一方で、イメージセンサー２３の受光面のうち、その長尺方向（主走査方向Ｘ）の中央寄りとなる面部位では、蓄光体１５から放出される光が原稿Ｐによって遮られることから受光量Ｘ２が予め設定した閾値Ｚ未満の比較的小さい値となる。そして、イメージセンサー２３の受光面のうち比較的小さい受光量Ｘ２が検知される領域の幅寸法が、主走査方向Ｘにおける原稿Ｐの幅寸法に相当する。そのため、メインコントローラー３１は、イメージセンサー２３から取得する主走査方向Ｘに並んだ一群の画素信号に基づき、原稿台１２の載置面１１に載置された原稿Ｐの幅寸法を判定する（図４のステップＳ１４）。そして、メインコントローラー３１は、その判定した原稿Ｐの幅寸法をサイズ判定テーブル３９に対して照合することにより、原稿の種類Ａを認識する（図４のステップＳ１５）。
【００３０】
その後、メインコントローラー３１は、電動モーター１７への駆動信号の出力を通じ、画像読取ユニット１６をスキャン動作の開始位置まで副走査方向Ｙに更に移動させる（図９参照）。そして、メインコントローラー３１は、画像読取ユニット１６の移動が完了した時点で、白色光源２１への照射信号の出力を通じ、原稿Ｐに対するスキャン動作を開始する（図１０参照）。この場合、メインコントローラー３１は、先に認識した原稿の種類Ａに応じた駆動量で電動モーター１７への駆動信号を出力することにより、原稿の種類（原稿のサイズ）に適した範囲で原稿Ｐに対するスキャン動作を行わせる。
【００３１】
以上説明したように、上記第１の実施の形態によれば、以下に示す効果を得ることができる。
（１）原稿カバー１３が閉状態になった時点で、蓄光体１５に蓄えられた光を用いて原稿台１２の載置面１１に載置された原稿Ｐの幅寸法を判定している。そのため、原稿Ｐの幅寸法を判定する際に、イメージセンサー２３への外乱光の入射が抑えられるため、イメージセンサー２３による光の検出値に基づく原稿Ｐの幅寸法の判定を正確に行うことが可能となる。
【００３２】
（２）原稿Ｐの幅寸法の判定に先立って原稿カバー１３の半開状態が検知された時点で、イメージセンサー２３を蓄光体１５に対向する位置に予め移動させる。そのため、蓄光体１５に蓄えられた光を用いた原稿Ｐの幅寸法の判定のスループットを向上することができる。
【００３３】
（３）イメージセンサー２３から取得される主走査方向Ｘに並んだ一群の画素信号に基づき、原稿台１２の載置面１１に載置された原稿Ｐの幅寸法を判定している。そのため、原稿台１２の載置面１１に載置された原稿Ｐの位置が原点位置からずれているときであっても、原稿Ｐの幅寸法を適正に判定することができる。
【００３４】
（第２の実施の形態）
次に、画像読取装置の一例であるスキャナー装置の第２の実施の形態について図面を参照して説明する。なお、第２の実施の形態は、画像読取ユニットが備える白色光源からの光を用いて蓄光体に光を蓄える点が第１の実施の形態と異なる。したがって、以下の説明においては、第１の実施の形態と相違する構成について説明し、第１の実施の形態と同一の又は対応する構成については重複する説明を省略する。
【００３５】
図１２に示すように、本実施の形態のメインコントローラー３１は、画像読取ユニット１６を原稿カバー１３に設けられた蓄光体１５に対向する位置まで移動させた後に、原稿カバー１３が「閉位置」まで移動した時点で、白色光源２１への照射信号の出力を通じ、白色光源２１から蓄光体１５への光の照射を開始する（図１１のステップＳ１２Ａ）。
【００３６】
ここで、図１３に示すように、白色光源２１から照射される光の一部は原稿台１２の載置面１１に載置された原稿Ｐによって遮られることから蓄光体１５には蓄えられない。具体的には、蓄光体１５のうち、その長尺方向（主走査方向Ｘ）の中央寄りとなる部位では、白色光源２１から照射される光が原稿Ｐによって遮られることから光が蓄えられにくい。その一方で、蓄光体１５のうち、その長尺方向（主走査方向Ｘ）の両端となる部位では、白色光源２１から照射される光が原稿Ｐによって遮られないことから光が蓄えられやすい。すなわち、蓄光体１５のうち、原稿台１２の載置面１１に載置された原稿Ｐと対向しない部位に白色光源２１からの光が局所的に蓄えられる。
【００３７】
そして、図１４に示すように、蓄光体１５は、上述のように局所的に蓄えた光を徐々に放出する。この場合、イメージセンサー２３の受光面のうち、その長尺方向（主走査方向Ｘ）の両端となる面部位では、対応する蓄光体１５の部位から放出される光がほとんど遮られないことから受光量Ｘ１ａが予め設定した閾値Ｚ以上の比較的大きな値となる。その一方で、イメージセンサー２３の受光面のうち、その長尺方向（主走査方向Ｘ）の中央寄りとなる面部位では、対応する蓄光体１５の部位からの光の放出がほとんどなく、もし仮に光の放出があったとしてもその大部分が原稿Ｐによって遮られることから受光量Ｘ２ａが予め設定した閾値Ｚ未満の極めて小さな値となる。そして、イメージセンサー２３の受光面のうち極めて小さい受光量Ｘ２ａが検知される領域の幅寸法が、主走査方向Ｘにおける原稿Ｐの幅寸法に相当する。そのため、メインコントローラー３１は、イメージセンサー２３から取得する主走査方向Ｘに並んだ一群の画素信号に基づき、原稿台１２の載置面１１に載置された原稿Ｐの幅寸法を判定する。
【００３８】
その後は第１の実施の形態と同様に、メインコントローラー３１は、電動モーター１７への駆動信号の出力を通じ、画像読取ユニット１６をスキャン動作の開始位置まで副走査方向Ｙに更に移動させ、原稿Ｐに対するスキャン動作を実行する。
【００３９】
以上説明したように、上記第２の実施の形態によれば、第１の実施の形態の上記（１）〜（３）の効果に加え、以下に示す効果を得ることができる。
（４）画像読取ユニット１６から照射される光を、原稿Ｐを読み取るだけでなく、蓄光体１５に光を蓄えることにも兼用している。そのため、部品点数の増大を抑えつつ、原稿Ｐの幅寸法の判定に必要とされる光量を蓄光体１５に確実に蓄えることができる。
【００４０】
（５）画像読取ユニット１６が蓄光体１５に対向する位置まで移動した後に、蓄光体１５に光を蓄えるべく光の照射を開始する。そのため、蓄光体１５のうち原稿Ｐと対向する領域には、画像読取ユニット１６からの光が原稿Ｐによって遮られる。すなわち、蓄光体１５のうち原稿Ｐと対向しない領域に画像読取ユニット１６からの光が局所的に蓄えられる。そして、この局所的に蓄えられた光を画像読取ユニット１６によって検出することにより、原稿台１２の載置面１１のうち原稿Ｐが存在する領域と原稿Ｐが存在しない領域とにそれぞれ対応する光の検出値の差が鮮明となる。その結果、光の検出値に基づく原稿Ｐの幅寸法の判定を更に正確に行うことが可能となる。
【００４１】
（６）原稿Ｐの幅寸法の判定に先立って原稿カバー１３の半開状態が検知された時点で、画像読取ユニット１６を蓄光体１５に対向する位置に予め移動させる。そのため、画像読取ユニット１６から照射される光を用いて蓄光体１５に対して光が速やかに蓄えられるため、蓄光体１５に蓄えられた光を用いた原稿Ｐの幅寸法の判定のスループットを向上することができる。
【００４２】
（７）原稿カバー１３が閉位置に移動した後に、画像読取ユニット１６から蓄光体１５への光の照射が開始される。そのため、蓄光体１５のうち原稿Ｐと対向しない領域に対する局所的な蓄光が好適に行われる。したがって、この局所的に蓄えられた光を用いた原稿Ｐの幅寸法の判定をより一層高い精度で行うことができる。
【００４３】
（その他の実施の形態）
なお、上記各実施の形態は、以下のような形態あるいはこれらの組み合わせにて実施することもできる。
【００４４】
・上記第２の実施の形態において、原稿カバー１３が閉位置に移動する前の時点で、画像読取ユニット１６から蓄光体１５への光の照射を開始してもよい。
・上記各実施の形態において、原稿カバー１３が閉位置に移動した時点で、画像読取ユニット１６を蓄光体１５に対向する位置に移動させてもよい。
【００４５】
・上記第２の実施の形態において、白色光源２１からの光の照射を行いつつ、画像読取ユニット１６を蓄光体１５に対向する位置に移動させてもよい。
・上記第２の実施の形態において、白色光源２１ではなく異なる色を発光する複数の光源を用いている場合には、蓄光体１５が最も効率よく蓄光できる色を発光する光源のみを発光させて蓄光体１５に蓄光させることが望ましい。
【００４６】
・上記各実施の形態において、原稿Ｐの幅寸法の判定に用いるために蓄光体１５からの光の受光量を検知する光センサーを、原稿Ｐを読み取るためのイメージセンサー２３とは別部材構成で設けてもよい。この場合、蓄光体１５からの光の受光量を検知するセンサーは、画像読取ユニット１６とともに副走査方向に移動可能な構成でもよいし、原稿台１２の載置面１１における特定の位置に固定して設けられる構成でもよい。
【００４７】
・上記各実施の形態において、蓄光体１５からの光の受光量を検知するセンサーとして、原稿Ｐに対する光の照射機能を有さない光センサーを用いてもよい。
・上記各実施の形態において、原稿カバー１３の対向面１３Ａにおける任意の面部位に蓄光体１５を設けてもよい。また、原稿カバー１３の対向面１３Ａの全域に蓄光体１５を設けてもよい。もし、原稿カバー１３の対向面１３Ａの全域に蓄光体１５を設けた場合には、主走査方向Ｘに加えて副走査方向Ｙについても原稿Ｐのサイズを検知するようにすることが望ましい。
【００４８】
・原稿カバー１３を開いている間にイメージセンサー２３等のセンサーを用いて外乱光等の強さを計測し、外乱光等が強い場合には上記第１の実施の形態のように光源からの光を蓄光させずに原稿Ｐのサイズ検知を行い、外乱光等が弱い場合には上記第２の実施の形態のように光源からの光を蓄光させて原稿Ｐのサイズ検知を行うようにしてもよい。
【００４９】
・上記各実施の形態において、原稿の位置に基づく判定対象として、原稿台１２の載置面１１の原点位置からの原稿の位置のずれ量や、原稿台１２の載置面１１に載置された原稿Ｐの斜め度合い等を適用してもよい。
【００５０】
・上記各実施の形態において、画像読取装置は、スキャン専用のスキャナー装置に限らず、印刷装置とスキャナー装置とを有する複合機でもよい。例えば生成した画像データに基づき印刷装置が画像を印刷出力する構成でもよい。また、ＦＡＸ機能を備えていて、生成した画像データをＦＡＸ送信で出力してもよい。
【符号の説明】
【００５１】
１０…画像読取装置の一例としてのスキャナー装置、１１…載置面、１２…原稿台、１３…原稿カバー、１３Ａ…対向面、１５…蓄光体（蓄光部）、１６…検出部の一例としての画像読取ユニット、１７…駆動部の一例としての駆動モーター、３０…判定部の一例としてのメインコントローラー、３７…照射制御部、４２…カバー開閉センサー、Ｐ…原稿、Ｚ…閾値。
【図１】
2016158007.tif 000003
【図２】
2016158007.tif 000004
【図３】
2016158007.tif 000005
【図４】
2016158007.tif 000006
【図５】
2016158007.tif 000007
【図６】
2016158007.tif 000008
【図７】
2016158007.tif 000009
【図８】
2016158007.tif 000010
【図９】
2016158007.tif 000011
【図１０】
2016158007.tif 000012
【図１１】
2016158007.tif 000013
【図１２】
2016158007.tif 000014
【図１３】
2016158007.tif 000015
【図１４】
2016158007.tif 000016